(57)【要約】【課題】圧縮機から放射される騒音を低減することができる圧縮機を提供することを目的とする。【解決手段】圧縮機は、横断面の形状が略正八角形に形成されたロワハウジング３４と、ロワハウジング３４を下方から支持する外脚３５とを備える。外脚３５は、ロワハウジング３４を支持する凹部と、凹部の外周から周方向に等間隔で放射状に延びる４つの脚部３５ｂとを有し、凹部には、ロワハウジング３４の横断面の形状と対応してロワハウジング３４の外周よりもやや小さい略正八角形の支持孔が形成される。ロワハウジングの底面部には、ロワハウジング３４と外脚３５とを固定する固定部３４ｃが形成され、固定部３４ｃは、脚部３５ｂが延びる方向ＣＬ１と直交するように延びている。【選択図】図２
2017180176.tif 000002
【特許請求の範囲】
【請求項１】
圧縮機構と、
前記圧縮機構を駆動する電動機と、
前記圧縮機構および前記電動機を内部に収容するハウジングと、
前記ハウジングを下方から支持する外脚と、を備え、
前記ハウジングは、前記外脚に支持されて横断面の形状が略多角形に形成されるハウジング下部を有し、前記ハウジング下部は、該ハウジング下部の下端を規定するハウジング底面部を有する圧縮機。
【請求項２】
前記外脚には、前記ハウジング下部の横断面の形状に対応する略多角形の支持孔が形成されている請求項１に記載の圧縮機。
【請求項３】
前記ハウジング下部の横断面の形状は、少なくとも一辺の長さが他の辺の長さとは異なっている請求項１または請求項２に記載の圧縮機。
【請求項４】
前記外脚は、前記ハウジングを支持する中央部と前記中央部から放射状に延びる脚部とを有し、
前記ハウジング下部は、前記外脚と固定される固定部を有し、
前記固定部は、前記脚部が延びる方向と直交方向に延びている請求項１から請求項３のいずれかに記載の圧縮機。
【請求項５】
前記外脚は、前記ハウジングを支持する中央部と前記中央部から放射状に延びる脚部とを有し、
前記ハウジング下部は、前記外脚と固定される固定部を有し、
前記固定部は、前記ハウジング下部の横断面の形状の角部分を含み、前記脚部が延びる方向上に前記角部分が位置するように配置されている請求項１から請求項３のいずれかに記載の圧縮機。
【発明の詳細な説明】
【技術分野】
【０００１】
本発明は、例えば空調機に用いられて好適な電動式の圧縮機に関するものである。
【背景技術】
【０００２】
電動式の空調用圧縮機には、圧縮機構を駆動させる電動機がハウジング内部に収容され、外脚がハウジングを下方から支持しているものがある。このような空調用圧縮機の外脚とハウジングとの固定方法として、外脚の中心部にハウジングの外周面よりも小さい孔を形成し、この孔に対してハウジングを載せるようにして固定する方法がある。
【０００３】
このような固定方法を適用した空調用圧縮機には、外脚の中心部の孔を円形状とし、ロワハウジングの横断面も円形状としているもの（例えば特許文献１参照）がある。
【先行技術文献】
【特許文献】
【０００４】
【特許文献１】特開２００３−３２８９４６号公報
【発明の概要】
【発明が解決しようとする課題】
【０００５】
電動式の空調用圧縮機では、電動機の駆動による振動がハウジングに入力された際に、ハウジングが激しく振動して外部に騒音が放射される場合がある。
特許文献１の圧縮機下部の外部構造では、ロワハウジングや外脚の固有値が原因となり、特定の周波数で圧縮機下部から騒音が放射されていた。特に、外脚の固有値と連成する周波数である１．６ｋｈｚＢや、ロワハウジングの底面がねじれるモードとなる周波数である４ｋＨｚＢや５ｋＨｚＢなどでは騒音の放射が顕著であった。また、特許文献１の圧縮機下部の外部構造では、外脚とロワハウジングとを溶接等で固定する際に、円形の孔に横断面が円形のロワハウジングを載せてから固定するので、外脚に対するハウジングの角度や固定位置が明確に判らず、作業者によって角度や固定位置にばらつきが発生する場合がある。角度や固定位置にばらつきが発生すると、圧縮機の固有値にもばらつきが生じ、好適に騒音低減機能を発揮できなくなる可能性があった。
【０００６】
本発明は、このような事情に鑑みてなされたものであって、放射される騒音を低減することができる圧縮機を提供することを目的とする。
【課題を解決するための手段】
【０００７】
上記課題を解決するために、本発明の圧縮機は以下の手段を採用する。
すなわち、本発明の一態様に係る圧縮機は、圧縮機構と、前記圧縮機構を駆動する電動機と、前記圧縮機構および前記電動機を内部に収容するハウジングと、前記ハウジングを下方から支持する外脚と、を備え、前記ハウジングは、前記外脚に支持されて横断面の形状が略多角形に形成されるハウジング下部を有し、前記ハウジング下部は、該ハウジング下部の下端を規定するハウジング底面部を有する。
【０００８】
上記構成では、ハウジング下部の横断面の形状を略多角形に形成し、ハウジングの剛性を高めているので、ハウジングの固有値を高くすることができる。これにより、外脚の固有値と連成するときの周波数を高くすることができる。したがって、外脚の固有値と連成する周波数において、電動機からハウジングに入力される加振力とハウジングとの共振を避けることができる。
また、ハウジングの剛性を高くすることができるので、ハウジング底面部がねじれる高次のモードとなるときの周波数も高くすることができる。したがって、ハウジング底面部がねじれる高次のモードとなる周波数において、電動機からハウジングに入力される加振力とハウジングとの共振を避けることができる。
また、ハウジング下部の横断面形状を略多角形に形成し、ハウジングの剛性を高めているので、電動機の駆動によってハウジングに加振力が入力された場合に、ハウジングの振動量を低減することができ、騒音を低減することができる。
【０００９】
また、本発明の一態様に係る圧縮機は、前記外脚に前記ハウジング下部の横断面の形状に対応する略多角形の支持孔が形成されていてもよい。
【００１０】
上記構成では、外脚の支持孔の形状がハウジング下部の略多角形とされた横断面形状に対応している。よって、ハウジングを外脚に固定する際に、例えば、ハウジング下部の角部分と支持孔の角部分とを合わせるというように、作業者がハウジングと外脚との角度や位置関係を把握し易いので、ハウジングを所定の位置や所定の角度で固定するのが容易になる。これにより、ハウジングと外脚とを固定する際に作業者による固定箇所のバラつきが抑制され、圧縮機の固有値が一様に設定される。したがって、圧縮機の固有値を所望の値にすることができる。
また、ハウジングと外脚との角度や位置関係を把握し易いので、作業者の作業効率も向上させることができる。
【００１１】
また、本発明の一態様に係る圧縮機は、前記ハウジング下部の横断面の形状は、少なくとも一辺の長さが他の辺の長さとは異なっていてもよい。
【００１２】
上記構成では、ハウジング下部の横断面の形状が少なくとも一辺の長さが他の辺の長さとは異なる略多角形となっているので、磁気加振力の加振モードに対応したハウジング下部形状を回避することができる。したがって、ハウジングの固有値と外脚の固有値とが連成し難くなる。これにより、振動を低減し、騒音を低減することができる。
【００１３】
また、本発明の一態様に係る圧縮機は、前記外脚は、前記ハウジングを支持する中央部と前記中央部から放射状に延びる脚部とを有し、前記ハウジング下部は、前記外脚と固定される固定部を有し、前記固定部は、前記脚部が延びる方向と直交方向に延びていてもよい。
【００１４】
上記構成では、固定部が脚部の延びる方向と直交方向に延びている。これにより、ハウジングが脚部の延びる方向の振動に対し振動し易くなるので、圧縮機の固有値が低くなる。したがって、ハウジングを外脚に固定する際に圧縮機の固有値を低くしたい場合、所望の固有値に設定することができる。
【００１５】
また、本発明の一態様に係る圧縮機は、前記外脚は、前記ハウジングを支持する中央部と前記中央部から放射状に延びる脚部とを有し、前記ハウジング下部は、前記外脚と固定される固定部を有し、前記固定部は、前記ハウジング下部の横断面の形状の角部分を含み、前記脚部が延びる方向上に前記角部分が位置するように配置されていてもよい。
【００１６】
上記構成では、固定部であるハウジング下部の角部分が脚部の延びる方向上に位置している。これにより、ハウジングが脚部の延びる方向の振動に対し振動し難くなるので、圧縮機の固有値が高くなる。したがって、ハウジングを外脚に固定する際に圧縮機の固有値を高くしたい場合、所望の固有値に設定することができる。
【発明の効果】
【００１７】
本発明によれば、圧縮機から放射される騒音を低減することができる。
【図面の簡単な説明】
【００１８】
【図１】本発明の実施形態に係るスクロール圧縮機の縦断面図である。
【図２】本発明の第１実施形態に係るロワハウジング及び外脚の平面図である。
【図３】本発明の第１実施形態に係るロワハウジング及び外脚の側面図である。
【図４】本発明の第１実施形態に係るロワハウジング及び外脚の斜視図である。
【図５】本発明の第１実施形態に係る外脚の平面図である。
【図６】本発明の第２実施形態に係るロワハウジング及び外脚の平面図である。
【図７】本発明の第２実施形態に係るロワハウジング及び外脚の側面図である。
【図８】本発明の第２実施形態に係るロワハウジング及び外脚の斜視図である。
【図９】本発明の第２実施形態に係る外脚の平面図である。
【図１０】本発明の第３実施形態に係るロワハウジング及び外脚の平面図である。
【発明を実施するための形態】
【００１９】
以下に、本発明に係る実施形態について、図面を参照して説明する。
［第１実施形態］
以下、本発明の第１実施形態について、図１から図５を用いて説明する。
図１に示されているように、スクロール圧縮機（圧縮機）１は、例えば、空調機に用いられ、スクロール圧縮機１から吐出された圧縮後の冷媒は凝縮器へと送られ、蒸発器にて蒸発した冷媒が吸入されるようになっている。スクロール圧縮機１として、本実施形態では、密閉型のスクロール圧縮機１が例示されている。このスクロール圧縮機１は、密閉された密閉ハウジング（ハウジング）２を備えている。
【００２０】
密閉ハウジング２は、中空円筒形状に形成されたボディハウジング３３と、ボディハウジング３３の上端部に固定されて密閉ハウジング２の上部開口を覆って密閉する上部カバー４と、ボディハウジング３３の下端部に固定されて密閉ハウジング２の下部開口を覆って密閉するロワハウジング（ハウジング下部）３４とを備えている。
【００２１】
密閉ハウジング２の上部では、ディスチャージカバー３と上部カバー４間に、圧縮された高圧のガスが吐出される吐出チャンバー５が形成されている。ボディハウジング３３の内周側に形成された空間内には、上方部位に上部軸受部材６が固定設置されており、その上部軸受部材６を介してスクロール圧縮機構（圧縮機構）７が組み込まれるとともに、その下方部位にステータ９とロータ１０とからなるモータ（電動機）８が設置されている。モータ８は、ステータ９が密閉ハウジング２に焼き嵌めされることにより組み込まれ、ロータ１０には、駆動軸１１が固定されている。スクロール圧縮機構７はモータ８によって駆動される。密閉ハウジング２の下方には外脚３５が設けられ、外脚３５は密閉ハウジング２を下方から支持している。
【００２２】
図１に示されているように、駆動軸１１の上端には、軸心が所定の寸法だけ偏心されているクランクピン１２が設けられ、そのクランクピン１２をスクロール圧縮機構７に連結することによって、スクロール圧縮機構７がモータ８により駆動可能とされている。駆動軸１１は、上部軸受部材６のジャーナル軸受部６ａに上方端部が回転自在に軸支されるとともに、下方端部が密閉ハウジング２の下方部位に設けられているジャーナル下部軸受１３により回転自在に支持されている。
【００２３】
ジャーナル下部軸受１３と駆動軸１１の下端部との間には、容積型の給油ポンプ１４が設けられ、密閉ハウジング２の底部に形成されている油溜まり１５に貯蔵されている潤滑油１６を、吸入パイプ１７を介して吸い込み、駆動軸１１内に軸方向に沿って穿設されている給油孔１８に吐出するように構成されている。この潤滑油１６は、給油孔１８を介して上部軸受部材６、スクロール圧縮機構７およびジャーナル下部軸受１３等の潤滑が必要な部位に給油可能とされている。
【００２４】
スクロール圧縮機構７は、上部軸受部材６を構成部品の１つとし、その上部軸受部材６上に固定設置されている固定スクロール１９と、上部軸受部材６のスラスト軸受部６ｂに摺動自在に支持され、固定スクロール１９と噛み合わされることにより圧縮室２１を形成する旋回スクロール２０と、上部軸受部材６と旋回スクロール２０との間に介在され、旋回スクロール２０の自転を阻止し、公転旋回運動を許容するオルダムリング等の自転阻止機構２２と、駆動軸１１のクランクピン１２と旋回スクロール２０の背面に設けられている軸受ボス２０ａとの間に設けられ、旋回スクロール２０に駆動軸１１の回転力を伝えるドライブブッシュ２３および旋回軸受２４と、を備えており、固定スクロール１９の端板中心部がディスチャージカバー３に接続された状態で上部軸受部材６上に設置されている。
【００２５】
固定スクロール１９は、端板と、その端板上に立設された渦巻き状ラップとを備え、端板の中心部に吐出口２５が設けられるとともに、渦巻き状ラップのラップ歯先面に、チップシール（図示省略）が設置された構成とされ、同様に、旋回スクロール２０は、端板と、その端板上に立設された渦巻き状ラップとを備え、端板の背面に軸受ボス２０ａが設けられるとともに、渦巻き状ラップのラップ歯先面に、チップシール（図示省略）が設置された構成とされている。
【００２６】
ロワハウジング３４は、図２〜図４に示されているように、横断面が略正八角形であって、ロワハウジング３４の下端を規定する底面部３４ａと、底面部３４ａから上方に延びる８つの側壁部３４ｂとを有する。側壁部３４ｂの上端部は、ボディハウジング３３の下端部に対し外側から重なるように固定されている。底面部３４ａは、外脚３５と固定される固定部３４ｃを有する。
【００２７】
外脚３５は、図５に示されているように、略中央にロワハウジング３４を支持する円形の凹部（中央部）３５ａと、凹部３５ａの外周から周方向に等間隔で放射状に延びている４つの脚部３５ｂとを有する。凹部３５ａの中央領域にはロワハウジング３４の横断面の形状に対応する略正八角形の支持孔３５ｃが形成される。支持孔３５ｃはロワハウジング３４の外周よりも小さい外周となるように形成される。また、支持孔３５ｃは略正八角形の辺部分が、図２中に一点鎖線で示す脚部３５ｂの延びる方向ＣＬ１に対して直交するように形成される。すなわち、脚部３５ｂは凹部３５ａの周方向に等間隔で４本形成されているので、支持孔の８つの辺のうち４つの辺が脚部３５ｂの延びる方向ＣＬ１と直交する（以下、脚部３５ｂの延びる方向と直交する支持孔の辺を「直交辺」という）。
【００２８】
次に、ロワハウジング３４と外脚３５との固定態様について説明する。ロワハウジング３４は外脚３５の上に載るように配置されている。この配置は、ロワハウジング３４の側壁部３４ｂと支持孔３５ｃの辺部分とが対応し、ロワハウジング３４の角部分と支持孔の角部分とが対応する向きで配置され、さらに、底面部３４ａの中心と支持孔３５ｃの中心とが重なるように配置される。このとき、ロワハウジング３４の外周は支持孔３５ｃの外周よりも大きいので、ロワハウジング３４の底面部３４ａの一部が支持孔３５ｃの縁と当接する。この当接する部分のうち、支持孔３５ｃの直交辺と当接する部分が固定部３４ｃとなり、固定部３４ｃによってロワハウジング３４と外脚３５とが固定される。すなわち、固定部３４ｃの延びる方向は脚部３５ｂの延びる方向ＣＬ１と直交する。ロワハウジング３４と外脚３５との固定は溶接によって行われている。なお、図２におけるハッチング部分は固定部３４ｃを模式的に表したものである。
【００２９】
スクロール圧縮機構７は、吸入配管２６を介して密閉ハウジング２内に吸い込まれた冷媒ガスを、密閉ハウジング２内に設けられている吸入口２７から圧縮室２１内に吸い込み、高温高圧のガスに圧縮する。この圧縮ガスは、固定スクロール１９の中心部に設けられている吐出口２５およびディスチャージカバー３に設けられている吐出弁２８を介して吐出チャンバー５内に吐出され、更に吐出チャンバー５に接続されている吐出配管２９を介してスクロール圧縮機１が接続されている冷凍サイクル側の凝縮器へと吐出される。また、図示しない蒸発器から吸入配管２６を介して密閉ハウジング２内に吸い込まれた冷媒ガスの一部は、通路３２を通過し、その際にモータ８を冷却する。
【００３０】
一方、給油ポンプ１４により給油孔１８を介してクランクピン１２の端部から、ドライブブッシュ２３および旋回軸受２４に給油され、それらを潤滑した潤滑油１６は、上部軸受部材６に設けられている排油孔３０を経て密閉ハウジング２内のモータ上部空間（吸入領域）に排出され、油ガイド３１および通路３２を介して密閉ハウジング２底部の油溜まり１５に流下されるようになっている。
【００３１】
以上説明した本実施形態の圧縮機が奏する作用および効果について説明する。
本実施形態のスクロール圧縮機１によれば、ロワハウジング３４の横断面の形状を略正八角形に形成し、密閉ハウジング２の剛性を高めているので、密閉ハウジング２の固有値を高くすることができる。これにより、外脚３５の固有値と連成するときの周波数を高くすることができる。したがって、外脚３５の固有値と連成する周波数において、モータ８から密閉ハウジング２に入力される加振力と密閉ハウジング２との共振を避けることができる。
また、密閉ハウジング２の剛性を高くすることができるので、ロワハウジング３４の底面部３４ａがねじれる高次のモードとなるときの周波数も高くすることができる。したがって、底面部３４ａがねじれる高次のモードとなる周波数において、モータ８から密閉ハウジング２に入力される加振力と密閉ハウジング２との共振を避けることができる。
また、ロワハウジング３４の横断面形状を略正八角形に形成し、密閉ハウジング２の剛性を高めているので、モータ８の駆動によって密閉ハウジング２に加振力が入力された場合に、密閉ハウジング２の振動量を低減することができ、騒音を低減することができる。
【００３２】
また、本実施形態のスクロール圧縮機１は、ロワハウジング３４の横断面形状に対応するように、外脚３５の支持孔３５ｃが略正八角形に形成されている。よって、密閉ハウジング２を外脚３５に固定する際に、例えば、ロワハウジング３４の角部分と支持孔３５ｃの角部分とを合わせるというように、作業者が密閉ハウジング２と外脚３５との角度や位置関係を把握し易いので、密閉ハウジング２を所定の位置や所定の角度で固定するのが容易になる。これにより、密閉ハウジング２と外脚３５とを固定する際に作業者による固定箇所のバラつきが抑制され、スクロール圧縮機１の固有値が一様に設定される。したがって、スクロール圧縮機１の固有値を所望の値にすることができる。
また、密閉ハウジング２と外脚３５との角度や位置関係を把握し易いので、作業者の作業効率を向上させることができる。
【００３３】
また、本実施形態のスクロール圧縮機１では、固定部３４ｃが脚部３５ｂの延びる方向ＣＬ１に対して直交する直交方向に延びている。これにより、密閉ハウジング２が脚部３５ｂの延びる方向の振動に対し振動し易くなるので、スクロール圧縮機１の固有値が低くなる。したがって、密閉ハウジング２を外脚３５に固定する際にスクロール圧縮機１の固有値を低くしたい場合、所望の固有値に設定することができる。
【００３４】
［第２実施形態］
次に、本発明の第２実施形態について、図６から図９を用いて説明する。
本実施形態は、上記した第１実施形態に対して、ロワハウジング３４と外脚３５の構成およびロワハウジング３４と外脚３５との固定態様が一部異なっている。その他の点については、第１実施形態と同様につき説明は省略する。
本実施形態においては、図６から図９に示されているように、ロワハウジング３４の横断面の形状が略正１６角形に形成されている。また、外脚３５にはロワハウジング３４の横断面の形状に対応するように略正１６角形の支持孔３５ｃが形成される。支持孔３５ｃは、脚部３５ｂが延びる方向ＣＬ１上に略正１６角形の角部分が位置するように形成される。したがって、脚部３５ｂは凹部３５ａの周方向に等間隔で４本形成されるので、支持孔３５ｃの１６個の頂点のうち４つの頂点が、図６中に一点鎖線で示す脚部３５ｂの延びる方向ＣＬ１上に位置する（以下、脚部３５ｂの延びる方向ＣＬ１上に位置する支持孔３５ｃの頂点部分を「対応頂点３４ｄ」という）。
【００３５】
次に、ロワハウジング３４と外脚３５との固定態様について説明する。ロワハウジング３４は外脚３５の上に載るように配置されている。この配置は、ロワハウジング３４の側壁部３４ｂと支持孔３５ｃの辺部分とが対応し、ロワハウジング３４の角部分と支持孔３５ｃの角部分とが対応する向きで、底面部３４ａの中心と支持孔３５ｃの中心とが重なるようになされる。このとき、ロワハウジング３４の外周は支持孔３５ｃの外周よりも大きいので、ロワハウジング３４の底面部３４ａの一部が支持孔３５ｃの縁と当接する。この当接する部分のうち、支持孔３５ｃの対応頂点３４ｄ及び対応頂点３４ｄ近傍と当接する部分が固定部３４ｃとなり、固定部３４ｃによってロワハウジング３４と外脚３５とが固定される。すなわち、固定部３４ｃはロワハウジング３４の横断面形状の角部分を含み、脚部３５ｂの延びる方向ＣＬ１上にこの角部分が位置するようになる。ロワハウジング３４と外脚３５との固定は溶接によって行われている。なお、図６のハッチング部分は固定部３４ｃを模式的に表したものである。
【００３６】
以上説明した本実施形態の圧縮機が奏する作用および効果について説明する。
本実施形態のスクロール圧縮機１によれば、固定部３４ｃであるロワハウジング３４の角部分が脚部３５ｂの延びる方向上に位置している。これにより、密閉ハウジング２が脚部３５ｂの延びる方向の振動に対し振動し難くなるので、スクロール圧縮機１の固有値が高くなる。したがって、密閉ハウジング２を外脚３５に固定する際にスクロール圧縮機１の固有値を高くしたい場合、所望の固有値に設定することができる。
【００３７】
［第３実施形態］
次に、本発明の第３実施形態について、図１０を用いて説明する。
本実施形態は、上記した第１実施形態に対して、ロワハウジング３４と外脚３５の構成が一部異なっている。その他の点については、第１実施形態と同様につき説明は省略する。
本実施形態においては、図１０に示されているように、ロワハウジング３４の横断面の形状が略八角形に形成されている。この八角形は、一部の辺の長さが他の辺の長さと等しくない不等辺八角形である。また、外脚３５に形成される支持孔３５ｃもロワハウジング３４の横断面の形状に対応する不等辺八角形に形成される。
【００３８】
以上説明した本実施形態の圧縮機が奏する作用および効果について説明する。
本実施形態のスクロール圧縮機１によれば、ロワハウジング３４の横断面の形状が不等辺八角形となっているので、モータ８による磁気加振力の加振モードに対応したロワハウジング形状を回避することができる。したがって、密閉ハウジング２の固有値と外脚３５の固有値とが連成し難くなる。これにより、振動を低減し、騒音を低減することができる。
【００３９】
なお、本発明は、各上記実施形態にかかる発明に限定されるものではなく、その要旨を逸脱しない範囲において、適宜変形が可能である。例えば、各上記実施形態では、本発明をスクロール圧縮機１に適用した例について説明したが、ロータリ圧縮機にも同様に適用できる。
【００４０】
また、ロワハウジング３４の側壁部３４ｂは、各上記実施形態のように平板形状に限定されるものではなく、湾曲形状であってもよい。また、ロワハウジング３４の角部分は、丸みを帯びていてもよい。この場合、ロワハウジング３４を一枚の板から曲折加工する場合に、加工し易い。
【００４１】
また、各上記実施形態では、横断面の形状を正八角形、不等辺八角形及び正１６角形としたロワハウジング３４について説明したが、ロワハウジング３４の横断面の形状は他の正多角形でもよく、他の不等辺多角形でもよい。
【００４２】
また、各上記実施形態では、脚部３５ｂの数を４つとしているが、脚部３５ｂの数はいくつであってもよい。脚部３５ｂの数とロワハウジング３４の側壁部３４ｂの数とは同数でない方が好ましい。同数でない場合、脚部３５ｂからロワハウジング３４へ振動が伝達され難くすることができる。
【００４３】
また、ボディハウジング３３の横断面の形状は各上記実施形態のように円形状に限定されるものではなく、他の形状であってもよい。例えば、ロワハウジング３４と同じ多角形状に形成してもよいし、ロワハウジング３４と異なった多角形状に形成してもよい。
【符号の説明】
【００４４】
１    スクロール圧縮機（圧縮機）
２    密閉ハウジング（ハウジング）
７    スクロール圧縮機構（圧縮機構）
８    モータ（電動機）
３３  ボディハウジング
３４  ロワハウジング（ハウジング下部）
３４ａ  底面部
３４ｂ  側壁部
３４ｃ  固定部
３５    外脚
３５ａ  凹部（中央部）
３５ｂ  脚部
３５ｃ  支持孔
【図１】
2017180176.tif 000003
【図２】
2017180176.tif 000004
【図３】
2017180176.tif 000005
【図４】
2017180176.tif 000006
【図５】
2017180176.tif 000007
【図６】
2017180176.tif 000008
【図７】
2017180176.tif 000009
【図８】
2017180176.tif 000010
【図９】
2017180176.tif 000011
【図１０】
2017180176.tif 000012